(57)【要約】【課題】室内ユニットにおける冷媒流動音を低減できる空気調和機およびフィルタを提供することを提供すること。【解決手段】この空気調和機１は、室内ユニットに配置される室内膨張弁と、室内膨張弁の上流に配置されて冷媒中の気泡を細分化するストレーナー６とを含む空気調和機において、ストレーナー６は、冷媒が通過する筐体６１と、この筐体６１内に設置されるフィルタ６２とを含み構成される。また、ストレーナー６は、筐体６１の出口側にて室内膨張弁の入口側に接続され、且つ、フィルタ６２が筐体６２の出口側開口部６１３の直近に位置するように筐体６１内に配置されることにより、筐体６１内の冷媒がフィルタ６２を通過した直後に筐体６１の出口側開口部６１３内に流入することを特徴とする。【選択図】        図２
2006098020.tif 000002
【特許請求の範囲】
【請求項１】
室内ユニットに配置される室内膨張弁と、前記室内膨張弁の上流に配置されて冷媒中の気泡を細分化するストレーナーとを含む空気調和機において、
前記ストレーナーは、冷媒が通過する筐体と、前記筐体内に設置されるフィルタとを含むと共に、前記筐体の出口側にて前記室内膨張弁の入口側に接続され、且つ、前記フィルタが前記筐体の出口側開口部の直近に位置するように前記筐体内に配置されることにより、前記筐体内の冷媒が前記フィルタを通過した直後に前記筐体の出口側開口部内に流入することを特徴とする空気調和機。
【請求項２】
前記フィルタが、前記筐体の出口側開口部を略塞ぐように出口側開口部の縁に前記筐体の内側から当接して設置されている請求項１に記載の空気調和機。
【請求項３】
前記フィルタの底部がクリアランスｄを隔てつつ前記筐体の出口側開口部の上流側に位置するように前記フィルタが設置されており、且つ、前記筐体の側面断面視にて、前記クリアランスｄが２［ｍｍ］以下の範囲内にある請求項１に記載の空気調和機。
【請求項４】
前記筐体が、冷媒の流路断面積を出口側開口部に向かうに連れて狭める縮小部を有すると共に、前記縮小部の内壁面に沿って前記フィルタの底部外周面が位置するように前記フィルタが配置される請求項１〜３のいずれか一つに記載の空気調和機。
【請求項５】
前記フィルタが二重構造を有する請求項１〜４のいずれか一つに記載の空気調和機。
【請求項６】
流体の流路上に配置されると共に流体中の気泡を細分化するストレーナーであって、
流体が通過する筐体と、前記筐体内に設置されるフィルタとを含み、且つ、前記フィルタが前記筐体の出口側開口部の直近に位置するように前記筐体内に配置されることにより、前記筐体内の流体が前記フィルタを通過した直後に前記筐体の出口側開口部内に流入することを特徴とするストレーナー。
【発明の詳細な説明】
【技術分野】
【０００１】
この発明は、空気調和機およびストレーナーに関し、室内ユニットにおける冷媒流動音を低減できる空気調和機およびフィルタに関する。
【背景技術】
【０００２】
空気調和機では、冷媒の循環速度が過渡的に大きく変化する運転時（例えば、起動運転時）にて、気相と液相とに分離した二相冷媒が発生する。かかる二相冷媒では、気泡同士が合体して成長し、より大きな気泡が発生することがある。そして、かかる大きな気泡を伴う冷媒が室内膨張弁に流入すると、圧力変動が生じて間欠的な冷媒流動音が発生し、室内騒音が発生するという課題がある。
【０００３】
かかる課題において、従来の空気調和機には、特許文献１に記載される技術が知られている。従来の空気調和機は、膨張機構（室内膨張弁）の入口側配管に、整流装置（ストレーナー）が設けられている。この整流装置は、入口側配管の直径よりも大きな直径の拡大管径部（筐体）が形成され、拡大管径部に冷媒を透過させる冷媒透過部材（フィルタ）が設けられ、冷媒透過部材および冷媒透過部材前後の冷媒透過面積が入口側配管の冷媒透過面積よりも大きくなるように、構成されている。従来の空気調和機では、かかる構成により、室内ユニット内の膨張機構における冷媒流動音を低減していた。
【０００４】
【特許文献１】特開２００３−３１４９３０号公報
【発明の開示】
【発明が解決しようとする課題】
【０００５】
この発明は、室内ユニットにおける冷媒流動音を低減できる空気調和機およびフィルタを提供することを目的とする。
【課題を解決するための手段】
【０００６】
上記目的を達成するため、この発明にかかる空気調和機は、室内ユニットに配置される室内膨張弁と、前記室内膨張弁の上流に配置されて冷媒中の気泡を細分化するストレーナーとを含む空気調和機において、前記ストレーナーは、冷媒が通過する筐体と、前記筐体内に設置されるフィルタとを含むと共に、前記筐体の出口側にて前記室内膨張弁の入口側に接続され、且つ、前記フィルタが前記筐体の出口側開口部の直近に位置するように前記筐体内に配置されることにより、前記筐体内の冷媒が前記フィルタを通過した直後に前記筐体の出口側開口部内に流入することを特徴とする。
【０００７】
この空気調和機では、ストレーナーのフィルタが筐体の出口側開口部の直近に位置するように筐体内に配置されるので、筐体内の冷媒がフィルタを通過した直後に筐体の出口側開口部内に流入する。かかる構成では、冷媒中の気泡が出口側開口部の直前にてフィルタを通過するので、筐体内にて成長した気泡が効率的に細分化されて出口側開口部内に流入する。これにより、大きな気泡を伴う冷媒が室内膨張弁に入り込む事態が防止されるので、室内ユニットにおける冷媒流動音が効果的に低減される利点がある。
【０００８】
また、この発明にかかる空気調和機は、前記フィルタが、前記筐体の出口側開口部を略塞ぐように出口側開口部の縁に前記筐体の内側から当接して設置されている。
【０００９】
この空気調和機では、フィルタが筐体の出口側開口部を略塞ぐように出口側開口部の縁に筐体の内側から当接して設置されているので、筐体内の冷媒が出口側開口部の直前にてフィルタを通過する。したがって、かかる構成では、フィルタにより細分化された気泡のみが出口側開口部に入る。これにより、大きな気泡を伴う冷媒が室内膨張弁に入り込む事態が防止されるので、室内ユニットにおける冷媒流動音が効果的に低減される利点がある。
【００１０】
また、この発明にかかる空気調和機は、前記フィルタの底部がクリアランスｄを隔てつつ前記筐体の出口側開口部の上流側に位置するように前記フィルタが設置されており、且つ、前記筐体の側面断面視にて、前記クリアランスｄが２［ｍｍ］以下の範囲内にある。
【００１１】
この空気調和機では、フィルタが微少なクリアランスｄを隔てつつ筐体の出口側開口部の上流側に設置されているので、筐体内の冷媒が出口側開口部の直前にてフィルタを通過する。したがって、かかる構成では、フィルタにより細分化された気泡のみが出口側開口部に入る。これにより、大きな気泡を伴う冷媒が室内膨張弁に入り込む事態が防止されるので、室内ユニットにおける冷媒流動音が効果的に低減される利点がある。
【００１２】
また、この発明にかかる空気調和機は、前記筐体が、冷媒の流路断面積を出口側開口部に向かうに連れて狭める縮小部を有すると共に、前記縮小部の内壁面に沿って前記フィルタの底部外周面が位置するように前記フィルタが配置される。
【００１３】
この空気調和機では、筐体の縮小部の内壁面に沿ってフィルタの底部外周面が位置するようにフィルタが配置されるので、筐体（縮小部）の内壁面に沿って流れる冷媒（分流となる冷媒）中の気泡がフィルタにより粉砕されて細分化される。これにより、出口側開口部を通過する気泡が効果的に細分化され得る利点がある。
【００１４】
また、この発明にかかる空気調和機は、前記フィルタが二重構造を有する。
【００１５】
この空気調和機では、フィルタが二重構造を有するので、冷媒中の気泡がより効果的に細分化される利点がある。
【００１６】
また、この発明にかかるストレーナーは、流体の流路上に配置されると共に流体中の気泡を細分化するストレーナーであって、流体が通過する筐体と、前記筐体内に設置されるフィルタとを含み、且つ、前記フィルタが前記筐体の出口側開口部の直近に位置するように前記筐体内に配置されることにより、前記筐体内の流体が前記フィルタを通過した直後に前記筐体の出口側開口部内に流入することを特徴とする。
【発明の効果】
【００１７】
この発明にかかる空気調和機によれば、ストレーナーのフィルタが筐体の出口側開口部の直近に位置するように筐体内に配置されるので、筐体内の冷媒がフィルタを通過した直後に筐体の出口側開口部内に流入する。かかる構成では、冷媒中の気泡が出口側開口部の直前にてフィルタを通過するので、筐体内にて成長した気泡が効率的に細分化されて出口側開口部内に流入する。これにより、大きな気泡を伴う冷媒が室内膨張弁に入り込む事態が防止されるので、室内ユニットにおける冷媒流動音が効果的に低減される利点がある。
【発明を実施するための最良の形態】
【００１８】
以下、この発明につき図面を参照しつつ詳細に説明する。なお、この実施例によりこの発明が限定されるものではない。また、以下に示す実施例の構成要素には、当業者が置換可能かつ容易なもの、或いは実質的同一のものが含まれる。
【実施例１】
【００１９】
図１は、この発明の実施例１にかかる空気調和機を示す構成図である。図２および図３は、図１に記載した空気調和機のストレーナーを示す構成図（図２）および拡大図（図３）である。図４は、図２に記載したストレーナーの配置構成を示す説明図である。図５は、図２に記載したストレーナーの作用を示す説明図である。図６〜図１１は、図２に記載したストレーナーの変形例を示す説明図である。図１２は、図１に記載した空気調和機の変形例を示す図である。図１３は、従来の空気調和機における課題を示す説明図である。
【００２０】
［空気調和機］
この空気調和機１は、室外に配置される室外ユニット２と、室内に配置される室内ユニット３と、制御ユニット（図示省略）とを含み構成される。そして、室外ユニット２および室内ユニット３がそれぞれ熱交換器２１，３１を有しており、これらの熱交換器２１，３１が相互に配管５により接続されている。空気調和機１は、これらの熱交換器２１，３１間に冷媒を循環させて室内および室外にて熱交換を行うことにより、室内の冷房、暖房もしくは冷暖房を行うことができる。
【００２１】
なお、図１では、一例として、冷房運転時における配管構成が示されている。冷房運転と暖房運転とは、配管５の接続が四方切換弁２５によって切り換えられることにより、切り換えられる。
【００２２】
室外ユニット２は、室外熱交換器２１と、室外膨張弁２２と、圧縮機２３と、アキュムレータ２４と、四方切換弁２５とを含み、これらが配管５により接続されて構成されている。室外熱交換器２１は、外気との間で冷媒の熱交換を行う機器であり、暖房運転時には蒸発器として機能し、冷房運転時には凝縮器として機能する。室外膨張弁２２は、冷媒の流路を絞る弁であり、主として、暖房運転時に使用される。また、この室外膨張弁２２は、その開度調整により配管５内における冷媒の流量を調整できる。圧縮機２３は、冷媒を吸入して圧縮し、冷媒の圧力を高める機能を有する。アキュムレータ２４は、冷媒の余剰分を一時的に貯蔵して冷媒の流量を調整する機能を有する。四方切換弁２５は、室外ユニット２内の配管５の接続を切り換えることにより、暖房運転用の配管構成と冷房用の配管構成とを切り換える弁である。
【００２３】
室内ユニット３は、室内熱交換器３１と、室内膨張弁３２とを含み、これらが配管５により接続されて構成されている。室内熱交換器３１は、室内空気との間で冷媒の熱交換を行う機器であり、暖房運転時には凝縮器として機能し、冷房運転時には蒸発器として機能する。室内膨張弁３２は、冷媒の流路を絞る弁であり、主として、冷房運転時に使用される。また、この室内膨張弁３２は、その開度調整により配管５内における冷媒の流量を調整できる。なお、この空気調和機１では、複数の室内ユニット３，３が設置されており、これらの室内ユニット３，３が相互に独立して稼働できる。これにより、各室内ユニット３が異なる部屋（場所）に設置されて独立して稼働することにより、各室内の空気が個別に調和される。
【００２４】
制御ユニット（図示省略）は、制御部と、各種のセンサーとを含み構成される。制御部は、室外ユニット２および室内ユニット３の各構成要素の駆動を制御する。各種のセンサーは、室外ユニット２および室内ユニット３の各構成要素、ならびに、配管５の要所に設置されて必要な情報を検出する。
【００２５】
冷房運転時では、まず、圧縮機２３にて加圧された冷媒が室外熱交換器２１にて凝縮液化されて液相となり、配管５を介して各室内ユニット３、３に供給される。そして、冷媒が各室内ユニット３の室内膨張弁３２にて流路を絞られることにより、室内熱交換器３１内にて蒸発気化して熱を吸収する。これにより、熱交換が行われて室内の空気が冷却される。熱交換を行った冷媒は、室外ユニット２側に戻り、四方切換弁２５およびアキュムレータ２４を通って圧縮機２３に還元される。これにより、冷媒が室外ユニット２および各室内ユニット３、３間を循環して、室内の冷房が行われる。
【００２６】
一方、暖房運転時では、まず、圧縮機２３にて加圧された冷媒が高温高圧のガス状態にて各室内ユニット３に供給される。そして、この冷媒が室内熱交換器３１内にて凝縮液化して熱を放出する。これにより、熱交換が行われて室内の空気が暖められる。熱交換を行った冷媒は、室外ユニット２側に戻り、室外膨張弁２２にて流路を絞られることにより、室外熱交換器２１内にて蒸発気化する。そして、この冷媒が四方切換弁２５およびアキュムレータ２４を通って圧縮機２３に還元される。これにより、冷媒が室外ユニット２および各室内ユニット３間を循環して、室内の暖房が行われる。
【００２７】
［ストレーナー］
ここで、この空気調和機１は、ストレーナー６を有する（図１〜図４参照）。このストレーナー６は、流体（冷媒）の流路上に配置されると共に流体中の気泡を細分化する機能を有する。ストレーナー６は、筐体６１と、フィルタ６２とを含み構成される（図２参照）。
【００２８】
筐体６１は、銅製の筒状部材から成る（図２および図３参照）。この筐体６１は、入口側開口部６１１から内部に向かって冷媒の流路断面積（内径）が拡張されており、配管５の流路断面積よりも大きい流路断面積を有する。また、筐体６１は、その流路断面積が出口側開口部６１２（冷媒の出口となる開口部）の手前（上流側）にて徐々に縮小されるように、構成されている。以下、筐体６１の部分のうち、流路断面積が出口側開口部６１２に向かって縮小されている部分を縮小部６１３と呼ぶ。この筐体６１は、具体的には、円筒部材の両端を長手方向にテーパ状に窄めて成る形状を有する。また、筐体６１の両端部（入口側開口部６１１および出口側開口部６１２の外側）には、配管接続部６１４，６１４が形成されている。筐体６１は、これらの配管接続部６１４，６１４を介して配管５、５に接続される。
【００２９】
フィルタ６２は、ステンレススチール製のメッシュ状部材から成り、略カゴ型形状を有する（図２および図３参照）。このフィルタ６２は、筐体６１内に挿入されて設置される。このとき、フィルタ６２は、そのカゴ型形状の底部が冷媒流路の下流側（筐体６１の出口側開口部６１２側）に向くように、設置される。また、フィルタ６２は、その一部（カゴ型形状の底部）が筐体６１の内側から出口側開口部６１２の内縁（筐体６１内側の縁）に当接するように、設置される。また、フィルタ６２は、出口側開口部６１２を上流側から略塞ぐよう（覆い隠すように）に、出口側開口部６１２に蓋をするがごとく設置される。これにより、フィルタ６２は、筐体６１内の冷媒が出口側開口部６１２の直前にてフィルタ６２を通過するように、設置される。
【００３０】
ここで、ストレーナー６は、室内膨張弁３２の入口側（上流側）の配管５に配置され、且つ、各室内膨張弁３２に対してそれぞれ設置される。また、ストレーナー６は、出口側開口部６１２（筐体６１内におけるフィルタ６２の設置側）が室内膨張弁３２側に向くように、設置される（図４参照）。
【００３１】
また、この空気調和機１では、上記のように冷房運転および暖房運転の双方が可能であり、運転の切り替えによって室内膨張弁３２における冷媒の通過方向（入口側および出口側）が反転する（図１参照）。このため、一対のストレーナー６、６が、室内膨張弁３２の両側を挟み込むように設置される。また、これらのストレーナー６、６は、その出口側開口部６１２、６１２（フィルタ６２の設置側）がいずれも室内膨張弁３２、３２側に向くように、設置される。かかる構成では、運転の切替によって冷媒の通過方向が反転した場合にも、いずれか一方のストレーナー６が室内膨張弁３２の入口側に位置する。これにより、ストレーナー６によって、後述する作用が得られる。なお、例えば、冷房運転のみを行う空気調和機１（図１２参照）のように、冷媒が室内膨張弁３２を一方向にのみ通過する構成では、ストレーナー６が室内膨張弁３２の片側（入口側）にのみ設置される（図１１参照）。
【００３２】
この空気調和機１では、まず、起動運転時等にて二相冷媒が発生し、この二相冷媒がストレーナー６内に流入する（図５参照）。すると、二相冷媒の流路断面積がストレーナー６（筐体６１）内にて拡張されることにより、二相冷媒中の気泡が成長して大きな気泡が発生する。そして、この大きな気泡が筐体６１内にてフィルタ６２を通過して粉砕され、小さな気泡に細分化された後に、二相冷媒が室内膨張弁３２に供給される。これにより、室内膨張弁３２への大きな気泡の流入が抑制されるので、室内ユニット３（室内膨張弁３２）における冷媒流動音が低減される。
【００３３】
また、発明者らの研究によれば、従来の空気調和機では、整流装置（ストレーナー）１００の冷媒透過部材（フィルタ）１０１の下流側にて、二相冷媒中の気泡が成長することが判明している（特許文献１および図１３参照）。すなわち、冷媒透過部材（フィルタ）１０１にて粉砕された気泡は、拡大管径部（筐体）１０２の出口側開口部１０３に流入するときに対流により衝突して合体し、成長して大きな気泡となる。すると、この大きな気泡により、室内膨張弁３２にて冷媒流動音が発生するという課題がある。
【００３４】
この点において、この空気調和機１では、ストレーナー６のフィルタ６２が筐体６１の出口側開口部６１２の直前（上流側の直近あるいは近傍）に設置されている（図２〜図４参照）。具体的には、ストレーナー６のフィルタ６２が、出口側開口部６１２を略塞ぐように（覆うように）、筐体６１の出口側開口部６１２の縁に筐体６１の内側から当接して設置されている。より詳細には、フィルタ６２の底部が平面状に形成されており、かかる底部が出口側開口部６１２の内縁（周縁）に対して面接触するように、フィルタ６２が筐体６１内に設置されている。これにより、出口側開口部６１２は、筐体６１の内側からフィルタ６２によって蓋をするがごとく塞がれている。したがって、出口側開口部６１２とフィルタ６２との間には、冷媒が対流するスペースが存在しない。かかる構成では、筐体６１内の冷媒が出口側開口部６１２の直前にてフィルタ６２を通過するので、フィルタ６２により細分化された気泡のみが出口側開口部６１２に入る。これにより、大きな気泡を伴う冷媒が室内膨張弁３２に入り込む事態が防止されるので、室内ユニット３における冷媒流動音が効果的に低減される利点がある。
【００３５】
また、この空気調和機１では、上記のような簡素な構成により、室内ユニット３の冷媒流動音を低減できるので、流動音発生部に振動抑制部材などを設置する構成と比較して、製品の部品点数を低減できると共に製造コスト（部品費および加工費）を低減できる利点がある。
【００３６】
また、この空気調和機１では、ストレーナー６が室内膨張弁３２の入口側配管５に設置されているので、冷媒サイクルを循環する異物が室内膨張弁３２の上流にてストレーナー６（フィルタ６２）により濾過される。これにより、室内膨張弁３２内への異物の入り込みが低減されるので、室内膨張弁３２の故障や破損が効果的に抑制される利点がある。特に、この空気調和機１では、ストレーナー６のフィルタ６２が略ガゴ型形状を有すると共に、そのカゴ型形状の底部が冷媒の流れ方向に対して下流側に向くように設置されているので、フィルタ６２にて冷媒内の異物が容易に捕捉される。これにより、より効果的に室内膨張弁３２内への異物の入り込みが低減される利点がある。
【００３７】
また、この空気調和機１では、ストレーナー６のフィルタ６２が筐体６１内に圧入されるか、もしくは、フィルタ６２が筐体６１内に挿入された後に筐体６１が外部から締められて縮径されることにより、フィルタ６２が筐体６１内に固定される。この点において、この空気調和機１では、ストレーナー６のフィルタ６２が筐体６１の出口側開口部６１２の内縁に当接するように筐体６１内に設置される。言い換えると、ストレーナー６のフィルタ６２は、筐体内６１にて下流側から底部を支持されて設置される。かかる構成では、運転時にて冷媒が流れると、フィルタ６２が下流側に押し込まれて筐体６１内に固定される。これにより、運転時におけるフィルタ６２のガタつきが低減される利点がある。
【００３８】
［変形例１］
また、この空気調和機１では、上記にかかわらず、ストレーナー６のフィルタ６２が、筐体６１の出口側開口部６１３を上流側直前にて略塞ぐように、筐体６１の縮小部６１３の内壁面もしくは出口側の内壁面に当接して設置されても良い（図７〜図１０参照）。かかる構成としても、同様の作用が得られる利点がある。
【００３９】
また、この空気調和機１では、フィルタ６２が筐体６１の出口側開口部６１２の内縁に嵌まり込むことにより、出口側開口部６１２が筐体６１の内側から略塞がれる構成としても良い（図示省略）。かかる構成では、出口側開口部６１２がフィルタ６２により良好に塞がれる利点がある。また、フィルタ６２が筐体６１内にしっかりと固定される利点がある。
【００４０】
また、この空気調和機１では、フィルタ６２が出口側開口部６１２の内縁に対して当接していなくとも良く、フィルタ６２と出口側開口部６１２との間に微少なクリアランスｄが残存していても良い（図６および図７参照）。すなわち、「フィルタ６２が出口側開口部６１２の直前に設置されている構成」には、フィルタ６２が微少なクリアランスｄを隔てて出口側開口部６１２の上流側に設置されている構成が含まれる。かかる構成には、例えば、（１）フィルタ６２の底部（底面）が出口側開口部６１２の上流側であってクリアランスｄを隔てた位置に浮遊的に配置されるように、フィルタが設置されている構成（図６参照）や、（２）フィルタ６２が筐体６１の内壁面（例えば縮小部６１３）に当接して設置されると共に、フィルタ６２の底部が出口側開口部６１２の上流側であってクリアランスｄを隔てた位置に配置され、且つ、この位置にて筐体６１内における冷媒の流路がフィルタ６２によって塞がれている構成（図７参照）が含まれる。
【００４１】
ここで、クリアランスｄの寸法は、クリアランスｄ内にて気泡が所定大きさ以上に成長しない程度の範囲内にあることを要する。具体的には、ストレーナー６の側面断面視にて、クリアランスｄが２［ｍｍ］以下の範囲内にあることが好ましく、１［ｍｍ］以下の範囲内にあることがより好ましい。
【００４２】
［変形例２］
また、この空気調和機１では、ストレーナー６の筐体６１がテーパ状の縮小部６１３を有しており、その流路断面積が出口側開口部６１２の手前にて下流側に狭まるように構成されている（図２および図３参照）。しかし、これに限らず、筐体６１は、その出口側の内壁面形状が側面断面視にて略直角形状となるように、構成されても良い（図８参照）。また、かかる構成では、フィルタ６２が平板型形状を有すると共にその平面を筐体６１の出口側の内壁面に当てて設置されることが好ましい（図９参照）。これにより、出口側開口部６１２の直前がフィルタ６２によって全面的に塞がれるので、出口側開口部６１２を通過する気泡が効果的に細分化される利点がある。
【００４３】
［変形例３］
また、この空気調和機１では、ストレーナー６（筐体６１）の縮小部６１３の内壁面形状とフィルタ６２底部の外周形状とが合致するように構成されることが好ましい（図１０参照）。すなわち、冷媒の流路断面積が上流側から出口側開口部６１２に向かって狭まるように筐体６１（縮小部６１３）が形成されると共に、出口側開口部６１２の直前には、かかる縮小部６１３の内壁面形状に沿うように（略接触するように）フィルタ６２が配置される構成が好ましい。具体的には、テーパ形状を有する筐体６１の縮小部６１３と、カゴ型形状を有するフィルタ６２の底部とが嵌まり合うように構成されており、フィルタ６２の外周側面が縮小部６１３の内壁面に沿うようにフィルタ６２が筐体６１内に設置される構成が好ましい。特に、フィルタ６２の底部の外周面が筐体６１の縮小部６１３の内壁面に接触するように、フィルタ６２が設置される構成が好ましい。
【００４４】
かかる構成では、筐体６１の中心を軸方向に流れる冷媒（主流となる冷媒）中の気泡がフィルタ６２の底部を通過ことにより粉砕されて細分化される。また、筐体６１（縮小部６１３）の内壁面に沿って流れる冷媒（分流となる冷媒）中の気泡がフィルタ６２の側底部を通過することにより粉砕されて細分化される。そして、これらの主流および分流にかかる冷媒は、気泡が細分化された状態のまま出口側開口部６１２の直前にて合流して、出口側開口部６１２を通過する。これにより、出口側開口部６１２を通過する気泡が効果的に細分化され得る利点がある。
【００４５】
［変形例４］
また、この空気調和機１では、フィルタ６２が二重構造（二重底構造）を有することが好ましい（図１１参照）。具体的には、フィルタ６２が一組の柔軟なメッシュ材を重ねて構成される。かかる構成では、フィルタ６２が筐体６１内に設置される時に、フィルタ６２が出口側開口部６１２の内縁（筐体６１の内壁面）に押し付けられて変形し、出口側開口部６１２（あるいは筐体６１の内壁面）にフィットする。これにより、フィルタ６２が出口側開口部６１２に対して確実に当接した状態で筐体６１内に設置される利点がある（あるいは、フィルタ６２および出口側開口部６１２間のクリアランスｄを小さくできる利点がある）。また、これにより、筐体６１およびフィルタ６２間の寸法公差（特に、出口側開口部６１２寸法公差）が粗い場合にも、フィルタ６２が筐体６１内に好適に設置される利点がある。また、これにより、ストレーナー６の製造コストを低減できる利点がある。
【００４６】
また、かかる構成とすれば、フィルタ６２の設置時にてフィルタ６２の外底（外側のメッシュ材）が破れたとしても、内底（内側のメッシュ材）によってフィルタ６２の機能が確保されるという利点がある。また、フィルタ６２の二重構造によって冷媒中の気泡がより効果的に細分化される利点がある。
【産業上の利用可能性】
【００４７】
以上のように、本発明にかかる空気調和機およびフィルタは、室内ユニットにおける冷媒流動音を低減できる点で有用である。
【図面の簡単な説明】
【００４８】
【図１】この発明の実施例１にかかる空気調和機を示す構成図である。
【図２】図１に記載した空気調和機のストレーナーを示す構成図である。
【図３】図１に記載した空気調和機のストレーナーを示す拡大図である。
【図４】図２に記載したストレーナーの配置構成を示す説明図である。
【図５】図２に記載したストレーナーの作用を示す説明図である。
【図６】図２に記載したストレーナーの変形例を示す説明図である。
【図７】図２に記載したストレーナーの変形例を示す説明図である。
【図８】図２に記載したストレーナーの変形例を示す説明図である。
【図９】図２に記載したストレーナーの変形例を示す説明図である。
【図１０】図２に記載したストレーナーの変形例を示す説明図である。
【図１１】図２に記載したストレーナーの変形例を示す説明図である。
【図１２】図１に記載した空気調和機の変形例を示す図である。
【図１３】従来の空気調和機における課題を示す説明図である。
【符号の説明】
【００４９】
１     空気調和機
２     室外ユニット
３     室内ユニット
５     配管
６     ストレーナー
２１   室外熱交換器
２２   室外膨張弁
２３   圧縮機
２４   アキュムレータ
２５   四方切換弁
３１   室内熱交換器
３２   室内膨張弁
６１   筐体
６１１ 入口側開口部
６１２ 出口側開口部
６１３ 縮小部
６１４ 配管接続部
６２   フィルタ
ｄ     クリアランス
【図１】
2006098020.tif 000003
【図２】
2006098020.tif 000004
【図３】
2006098020.tif 000005
【図４】
2006098020.tif 000006
【図５】
2006098020.tif 000007
【図６】
2006098020.tif 000008
【図７】
2006098020.tif 000009
【図８】
2006098020.tif 000010
【図９】
2006098020.tif 000011
【図１０】
2006098020.tif 000012
【図１１】
2006098020.tif 000013
【図１２】
2006098020.tif 000014
【図１３】
2006098020.tif 000015